(57)【要約】【課題】  清掃糸が確固として固定され、液漏れのおそれがなくレンズの汚れを確実に清掃する、簡単な構造のレンズクリーナーを提供すること。【解決手段】  ディスクに形成した凹溝の両端に垂直孔を貫設し、凹溝に吸水性の清掃糸を嵌入して清掃糸の両側を前記垂直孔に挿通し、左右下垂部をディスク下面に均等長さに突設する。清掃糸の水平部上面に、中央に注入口を形成した抑え片を臨ませ、該抑え片をディスクに接着する。【選択図】図１
2009181687.tif 000002
【特許請求の範囲】
【請求項１】
ディスクに形成した凹溝の両端に垂直孔を貫設し、凹溝に吸水性の清掃糸を嵌入するとともに清掃糸の両側を前記垂直孔に挿通して左右下垂部をディスク下面に均等長さに突設し、清掃糸の水平部上面に、中央に注入口を形成した抑え片を臨ませ、該抑え片をディスクに接着することを特徴とする光ディスクのレンズクリーナー。
【請求項２】
清掃糸の上面に吸水布を配置し、清掃糸と吸水布を前記凹溝内に嵌入するとともに吸水布の上面に抑え片を臨ませることを特徴とする請求項１記載の光ディスクのレンズクリーナー。
【発明の詳細な説明】
【技術分野】
【０００１】  本発明は、光ピックアップレンズの表面に付着した埃を一掃する光ディスクのレンズクリーナーに関する。
【背景技術】
【０００２】  音声・映像を記録・再生するＣＤ・ＤＶＤなどのディスク状記録媒体を読み取る光ピックアップレンズにゴミ・埃が付着すると信号の読み取りに支障を生じるおそれがあり、このためディスクに各種形状の清掃部材を取り付けたレンズクリーナーが種々提案されている。それらのレンズクリーナーは乾式のものと湿式のものとに大別され、乾式のものには清掃部材である糸状体の先端でレンズに付着した埃を拭き払うもの（例えば特許文献１参照）と、湿式のものにはディスク本体の一方の面にブラシを植設し、ブラシの基部に液吸収材を取り付けてなるもの（例えば特許文献２、３参照）などがある。
【特許文献１】実用新案登録第３１０８９１９号公報
【特許文献２】特開２００２−３３４４６５号公報
【特許文献３】実用新案登録第３１０７６８２号公報
【発明の開示】
【発明が解決しようとする課題】
【０００３】  特許文献１に記載の技術は、ディスクの回転方向にあけた一対の小孔に糸状体の左右を挿通し、糸状体の左右突出部でレンズ表面に付着した埃を払拭しようとするものである。上記の糸状体の上面水平部はディスクの上面に位置するとともにその上に仮接着片と、仮接着片の上面に更に抑え片が重ね合うため糸状体が確固として固定される反面、ディスク上面が糸状体水平部、仮接着片、抑え片の三層構造となって膨隆し、このため自動車内に組み込んであるプレーヤーのようにディスク収納部に余裕がないような個所に取り付けると回転に支障を生じる懸念がある。【０００４】  上記技術は乾式の一例であり、清掃ブラシに直接クリーニング液を塗布することで乾式のものよりもレンズ表面の汚れがより効果的に除去できるとされる湿式のものには、液体をブラシに直接塗布する方法と、間接的に塗布する方法とがある。直接に塗布する方法では場合によりブラシからの液漏れやレンズ及びその周辺への液だれといった現象が生じるおそれがあり、所謂過ぎたるは及ばざるごとしの結果となるケースもある。特許文献２及び３では間接的に塗布する方法が提案されている。【０００５】  すなわち特許文献２に記載のものは、清掃部材を設けたディスクの上面側に凹部を形成し、この凹部に液吸収材をはめ込み、凹部と清掃部材の間に貫通孔を設けて清掃部材の一部が貫通孔を通って液吸収材と接触するように構成したものである。この技術は清掃部材と液吸収材が取り付け溝と凹部に嵌め込まれ、クリーニング液は液吸収材に塗布されるために清掃部材への塗りすぎを抑止できるが、清掃部材は横長のものでディスクにあけた横長の取り付け溝に取り付けたにすぎず、また上面の液吸収材は清掃部材の上面に配置しただけであるからディスクの回転風圧で双方が妄動する懸念がある。またクリーニング液は吸収材から滲み出たのち更に貫通孔から清掃部材へと移行するため横長の清掃部材の全体に十分行き渡るか否かの問題がある。【０００６】  特許文献３に記載のものは図４に示すように液吸収材１にあらじめブラシ２を植設し、ディスク３に形成した凹部４と挿通孔５に液吸収材１とブラシ２を取り付けるもので、このとき液吸収材１は凹部４との間に接着剤６を介して固定される。そして使用時には液吸収材１に容器７内のクリーニング液８を滴下すると液吸収材１に浸潤した液がブラシ２を湿らすので塗りすぎ防止ができ、程よく湿ったブラシ２がレンズ（不図示）に接してレンズ表面の汚れを払拭できる、としたものである。【０００７】  この従来技術によると、ディスク３には凹部４と挿通孔５を形成することを要するが、厚みの薄いディスクに異なる形状の凹部と挿通孔の両方を形成するには面倒な手間がかゝるのとブラシ２を別体の液吸収材１に植設するのにもそれなりの手数と時間を必要とする。更にブラシ２を植設した液吸収材１を凹部４と挿通孔５に取り付けなければならず、この技術では製作に多大な労力がかかってコスト高になる憂いがある。然も液吸収材１に植設するブラシ２は一本の糸状物のため十分な払拭がなされるか否かの疑問が残る。【０００８】  本発明は簡単な構造によって従来の問題点である製作上の諸課題を解決するとともに、クリーニング液が清掃部材に十分行き渡ってレンズの汚れを確実に除去でき、清掃部材が確固としてディスクに固定されることで回転に何らの支障を生じることのない湿式方式のレンズクリーナーを提供することを目的とする。
【課題を解決するための手段】
【０００９】  すなわち本発明は、ディスクに形成した凹溝の両端に垂直孔を貫設し、凹溝に吸水性の清掃糸を嵌入するとともに清掃糸の両側を前記垂直孔に挿通して左右下垂部をディスク下面に均等長さに突設し、清掃糸の水平部上面に、中央に注入口を形成した抑え片を臨ませ、該抑え片をディスクに接着することを特徴としている。【００１０】  清掃糸の上面に吸水布を配置し、清掃糸と吸水布を凹溝内に嵌入するとともに吸水布の上面に抑え片を臨ませることを特徴とする。
【発明の効果】
【００１１】  清掃糸は両側をディスクにあけた凹溝両端の貫通孔に挿通して両端部を均等長さに突設すれば取り付けられるので、従来のようにあらかじめ液吸収材を形成し、この液吸収材に更にブラシを植設するといった手間がかゝらない。また清掃糸は凹溝内に配置されるのでディスク上面には抑え片のみが位置し、カープレーヤーのような狭小な収納空間にも支障なく取り付けられる。【００１２】  凹溝左右の垂直孔から突設した清掃糸の左右下垂部が均等長さとなってバランスがよく、このため抑え片で固定されるとディスクの高速回転にも十分耐えて脱落のおそれがない。【００１３】  清掃糸は、垂直に突出した左右下垂部が下方に位置するレンズに臨むため二重の払拭作業ができてその分レンズが確実にクリーニングされる。クリーニング液は抑え片の注入口から清掃糸の水平部中央に塗布されたのち左右下垂部に滲出するため下垂部下端に至るまでに時間差があり、液だれのおそれはない。【００１４】  清掃糸の上面に吸水布を配置するとクリーニング液は吸水布に塗布されるため清掃糸には直接せず、濡れた吸水布を通して清掃糸は湿潤するので左右下垂部は程よい湿り具合となり、レンズに液が塗布過多となる事態は未然に防止される。
【発明を実施するための最良の形態】
【００１５】  図面を参照して本発明の好適な実施の形態を説明する。図１（ａ）において１０はディスクであり、盤面に細幅の凹溝１１が形成され、凹溝１１の両端には垂直孔１２が夫々貫設されていて盤面に断面門形の空部がディスク１の半径方向に形成される。【００１６】  ディスク１０はＣＤ・ＤＶＤ等の光ディスクに用いられるピックアップレンズ表面のチリや埃を盤面に取り付けた清掃部材を用いて除去すること目的とするものでそれら光ディスクと同形であり、一般的なプレーヤーは当然としてＣＤ等をセットするカー装置のようなプレーヤーにも取り付けられること勿論である。【００１７】  ２０はディスク１０の上面に臨ませた一本の清掃糸である。清掃糸２０は合成繊維、絹糸、不織布など特に素材に限定はないが、微細な細毛群で形成され、柔軟で倒れても復元し、程よい吸水性を有するものが適する。取り付けるときは左右両側を垂直孔１２に夫々挿通すると（ｂ）図のように凹溝１１には水平部２１が位置し、垂直孔１２より左右下垂部２２が均等長さに突設され、水平部２１はディスク１０と面一となる。【００１８】  清掃糸２０の水平部２１上面には（ｃ）図のように抑え片３０が取り付けられる。該抑え片３０の中央には後記するクリーニング液４１の注入口３１が形成されており、抑え片３０はディスク１０に固着される。抑え片３０は合成繊維、不織布などの薄片で形成され（ｄ）図のように平面円形若しくは楕円状とし、裏面周縁に接着剤３２をドーナツ状に塗布してディスク１０に接着される。抑え片３０がディスク１０上面に固着されることによって清掃糸２０は凹溝１１に圧接固定され、ディスク１０が回転しても妄動することはない。抑え片３０は厚みがないためディスク１０をカープレーヤーのように狭小な空間に設置しても支障を生じることがない。【００１９】  図２は清掃糸２０に容器４０内のクリーニング液４１を注入する説明図である。（ａ）図のように容器４０をつかんで注入口３１よりクリーニング液４１を清掃糸２０に垂らすと、クリーニング液４１は（ｂ）図矢指のように水平部２１の中央に吸収されたのち左右に分散するので下垂部２２は湿潤し、ディスク１０の回転に伴い下面に位置するピックアップレンズ（図を省略）に片方の下垂部２２の糸先が接してレンズ表面の汚れを払拭するとともに他方の下垂部２２により再びレンズ表面が清掃される。左右の下垂片２２には水平部２１の分だけの間隔があるため多少クリーニング液４１の塗りすぎがあっても左右に液は分散するので下垂部２２からの液だれの心配はない。なおクリーニング液４１は図示したような容器４０から滴下する方法だけでなく、例えば容器先端に液滲出性の素材を取り付けて該素材を直接清掃糸２０に当接するようにしてもよい。【００２０】  図３は清掃糸２０の上面に吸水布５０を設けた本発明の他の実施形態を示したものである。すなわち吸水布５０も凹溝１１内に嵌入し、その上面に抑え片３０が位置するように構成したもので、前述した実施形態よりも吸水布５０が重なる分凹溝１１はやゝ深く形成される。この場合、容器４０から出たクリーニング液４１は注入口３１から吸水布５０に塗布されるので清掃糸２０には直接しないが、吸水布５０は十分にクリーニング液４１を吸収してその水分は清掃糸２０に確実に伝わるので液は水平部２１から左右の下垂部２２に及び、湿った糸先がディスク１０の下方に位置するレンズに接して表面の汚れを払拭することは第一の実施形態と同様である。この場合も吸水布５０の上面にある抑え片３０は接着剤によりディスク１０に確固として固着されているので下面の吸水布５０は凹溝１１内にあっていささかも妄動することがなく、また吸水布５０によって圧せられている清掃糸２０も不動状態を維持する。なお吸水布５０は清掃糸２０と異なる大きさとしても支障はなく、その場合吸水布５０の大きさに合わせて凹溝１１の横幅・深さなどを形成できること勿論である。【００２１】  なお本発明における清掃糸２０、抑え片３０、吸水布５０の素材及び接着剤３２、クリーニング液４１の材料などは特に目新しいものではないので従来使用されているものの中から選択して使用でき、また清掃糸２０は図ではディスク１０の左右２カ所に設けた例を示したが、１カ所であっても或いは３カ所以上としてもよい。【００２２】  本発明はクリーニング液を用いた所謂湿式方式のクリーナーであるが、同じディスク１０上に、クリーニング液を塗布しない乾式方式の清掃部材を設けたり、或いは風圧によりレンズ表面の埃を払拭する空気孔を併設することも可能であるが、これらも本発明の自由な実施の範疇に属する。
【図面の簡単な説明】
【００２３】
【図１】本発明クリーナーの一実施形態を示し、（ａ）はディスクの一部拡大断面図、（ｂ）は清掃糸を取り付けた断面図、（ｃ）は抑え片をディスクに固着して完成させた断面図、（ｄ）はディスク上から俯瞰した平面図である。
【図２】（ａ）は清掃糸にクリーニング液を塗布する断面図であり、（ｂ）はクリーニング液の流れを示す説明図である。
【図３】清掃糸上面に吸水布を取り付けた他の実施形態を示す断面図である。
【図４】従来例を示し、（ａ）はディスクに液吸収材を臨ませた断面図、（ｂ）はディスクに固定した液吸収材にクリーニング液を塗布する断面図である。
【符号の説明】
【００２４】  １０  ディスク
１１  凹溝
１２  垂直孔
２０  清掃糸
２１  水平部
２２  下垂部
３０  抑え片
３１  注入口
３２  接着剤
５０  吸水布
【図１】
2009181687.tif 000003
【図２】
2009181687.tif 000004
【図３】
2009181687.tif 000005
【図４】
2009181687.tif 000006